(57)【要約】テレスコピックローラコンベアが設けられ、伸縮式ローラコンベヤは、内側プロファイル（１）、および外側プロファイル（２）を含む。内側プロファイル（１）は、外形（２）の内部にスライドするように伸縮自在の機能が達成されるように適合される。内側の（１）及び外側（２）のプロファイルは、それぞれ第一側を有する（３）を含む少なくとも１つの第１の凹部（８）が部分的に少なくとも一つのローラ器官（６）と、少なくとも１つの第２の凹部（４を収容するように適合）ローラ器官（６）に接続された車軸（５）を受信するように適合。軸（５）が凹部内に配置されている、（４）、車軸（５）は、プロファイルの長軸（２ １）に互いに（１）内側及び外側（２）プロファイルをロックするように構成されている。【選択図】図４
2014503442.tif 000002
【特許請求の範囲】
【請求項１】
テレスコピックローラコンベア含むことを特徴とする伸縮式ローラコンベア：
ａ）は内側プロファイル（１）、および
ｂ）の外形（２）において、
１。内側プロファイル（１）テレスコピック機能が達成されるように、外形（２）の内部にスライドするように構成され、
２。(１）の内側と外側の（２）のプロファイルはそれぞれ第一の側（３）     を含んでなるがあります：
・少なくとも一つの第１の凹部（８）が部分的に少なくとも一つのローラ      器官（６）を含むように適合され、そして
・少なくとも一つの第２の凹部（４）は、ローラ器官（６）に接続された車    軸（５）を受信するように適合され、そして
（車軸（５）が凹部内に配置されたとき;
・アクスル（５）（２;  １）のプロファイルの長軸方向に互いに（１）内側及び外側（２）プロファイルをロックするように適合されている４）。
【請求項２】
第一の側面の凹部（８）（３）が少なくとも部分的に収容するように幅を有するテレスコローラコンベアの長軸に沿って延びるスリット（８）である、請求項１〜３のいずれか一項に記載の伸縮自在のローラコンベアローラ器官（６）。
【請求項３】
テレスコピックローラコンベア車軸第１および第２の端部を備え、前記を含み、少なくとも二つの車軸（５）ローラ器官（６）に接続された各一つを含む請求項２、 - 請求項１〜３のいずれか一項に記載の伸縮自在のローラコンベア第１および第２の端部の少なくとも一方は、少なくとも二つの車軸（５こと、すぐ内側（１）および外側プロファイル（２）の凹部（４）と同じ距離に連結器官（７）に取り付けられている同時に２））、ローラコンベアの長さのローラ臓器（６）（１に装着やプロファイルから取り外すことができる。
【請求項４】
からなる伸縮ローラコンベアフレーム：
構成
・少なくとも一つの第一伸縮ローラコンベアフレーム部分（２０１Ａ）：
少なくとも１つの凹部又は穴（２０５ '）を含む外側プロファイル（２０２）Ｏ、および
少なくとも１つの凹部又は貫通孔（２０５''）を備える内側プロファイル（２０３）Ｏ、前記内側プロファイルは、入れ子式外側のすぐ内側に、少なくとも部分的に配置されるように構成され、
構成・少なくとも一つの第二伸縮ローラコンベアフレーム部分（２０１Ｂ）：
外形（２０２）Ｏ、および
伸縮自在の外形の内側に少なくとも部分的に配置されるように適合され、内側プロファイル（２０３）、請求Ｏ
第一及び第二のローラコンベアフレーム部を備えたローラコンベア（２１０）によって接続されるようになっている。
・少なくとも１つのローラ・オルガン（２１１）、
内側および外側プロファイルをロックするための、第一の伸縮自在のローラコンベアフレーム部の内側および外側プロファイルの少なくとも１つの凹部又は貫通孔内に配置されるように適合・第一の部分（２１０ '）、および
・第二部（２１０''）、内側および外側プロファイルをロックするために、伸縮自在のローラコンベアフレーム部の内側および外側プロファイルの少なくとも１つの凹部又は貫通孔内に配置されるように適合するように第一及び第二のローラコンベヤフレーム部品が接続され、ロックされています。
【請求項５】
前記第一及び第二のローラコンベアフレーム部をさらに追加のフレーム部（２２１ａと、２２１ｂと）によって接続されている、請求項４に記載の伸縮自在のローラコンベヤフレームを最初に接続するための内側及び/又は外側のプロファイルの端部に接続されている互いにほぼ平行に追加のフレーム部によって定められた距離でかつ第２ローラコンベヤフレーム部。
【請求項６】
追加のフレームパーツを特徴とする請求項５に記載の伸縮自在のローラコンベヤフレームは、第１及び第２フレーム部との間の距離を調整するためのテレスコある。
【請求項７】
ローラコンベアテレスコピックローラコンベヤである請求項６、 - 請求項４のいずれか一項に記載の伸縮自在のローラコンベアフレーム。
【請求項８】
３ - 望遠鏡のローラコンベアを特徴とする、請求項７に記載の伸縮自在のローラコンベヤフレームは、請求項１〜３のいずれか一項に記載の伸縮自在のローラコンベアである。
【請求項９】
テレスコピックローラコンベアのロックを特徴とする請求項８に記載の伸縮自在のローラコンベヤフレームは、追加のフレーム部分のテレスコピック機能をロックする。
【発明の詳細な説明】
【技術分野】
【０００１】
例えば、本発明は、包装材料等重力による倉庫や組立ステーションにおける物品の輸送のための技術に関する。
【背景技術】
【０００２】
ローラコンベア、重力により、一つの位置から別の移動するオブジェクトによって、さまざまなアプリケーションにするために使用されます。例えばで材料ラックは、ローラコンベヤは、ローディングステーションから消費局に包装を輸送するために使用される。
【０００３】
新製品が導入され、生産が開始されたり、生産量が変更されたとき、生産ラインで、生産アイテムが保存されている倉庫での材料のファサードを再構築する必要がある場合。すなわち、製造ラインに沿って、または倉庫内の材料ラックや他のマテリアルハンドリングシステムは、包装の新しいタイプを格納し、新しいバッファレベル（パッケージ数）を処理するように調整されなければならない。
【０００４】
製品の変更や音量の変更はより頻繁間隔、例えば今日のローラコンベア、で発生材料ラックｓの部分で、迅速、簡単かつ効果的に新しい状況に適応するコストに十分な柔軟性がありません。調整は、ローラコンベアの長さと容易に包装の新しいタイプを処理するために、ローラコンベアために、ローラコンベアの車輪を交換する能力を調節する可能性を意味する。
【０００５】
今日のローラコンベヤは、車軸と車輪の数は鋼プロファイルに直接固定されている鋼プロファイルで構成されています。ローラコンベヤは、事前に定義された標準的な長さで販売され、配信されます。これにより、ローラコンベヤは、所望のアプリケーションに適合するようにエンドユーザに正しい長さに切断しなければならないことを意味する。ユーザーは、例えばを再構築したい場合材料ラックは、より深いそれを作ることによって、例えば、それは、ローラコンベアを延長しなければならないし、適切な長さを持つ新しいローラコンベヤを購入しなければならないことを意味する。
【０００６】
ユーザーが奥行きを削減したい場合には、ローラコンベヤは、多くの場合、再利用が困難なローラコンベヤの無駄、その結果適切な長さにカットしなければならない。
ローラコンベアの車輪を交換する必要が
【０００７】
例えば鋼プロファイルのホイール用ホイールは、それが割り込み生産と同時に、非常に長い時間がかかり、これを交換する必要があり、プラスチックのホイールからスチールホイールに切り替える。この結果は、車輪には変更されないし、実際にユーザが代わりにローラの新しいタイプを最初から組み立てられて完全に新しいローラコンベアを購入する。これはまた、他のアプリケーションで再利用することが困難であるローラコンベヤの浪費をもたらす。
【発明の概要】
【発明が解決しようとする課題】
【０００８】
本発明は、後続の特許は、指定された特性を主張すると、そのローラコンベアによって周知の技術の問題点を解決するローラコンベアに関し、ラックや他のマテリアルハンドリングシステムのいくつかの異なる寸法のために使用することができる。ローラコンベヤは、内側および外側プロファイルなど、例えばゴムストリップのような器官の接続に組み立てられるホイール、ローラなどの臓器を含む。
【課題を解決するための手段】
【０００９】
ローラコンベヤインナー更新外形で自由に実行するので、テレスコピック機能を作成することができるの内側と外側のプロファイルが含まれています。
【００１０】
一実施形態によれば、内側および外側プロファイルは、開口部の幅が内側と外側の両方すぐに同じ幅はｃ-プロファイルの形態である。開口部側はまた、ローラ器官に組み付けされていることを車軸を受信するように設計されている凹部を有している。プロフィール上の凹部との間の距離は、ローラコンベアでローラの臓器の間の距離を決定します。
【００１１】
一実施形態によれば、ローラの臓器は、内側および外側プロファイルに凹部内に配置されるように意図されて車軸に組み付けられている。車軸が凹部内に配置されたときに、車軸はまた、その長手方向に互いに内側および外側プロファイルをロックする。
【００１２】
一実施形態のどちらかのローラオルガンの車軸の終わりによると接続する臓器に組み付けられる。車軸を同時にプロファイル全体の長さで組み立てと分解するため、ローラ臓器ためにはプロファイルの凹部との間の距離に等しい距離で接続器官に組み立てられる。
【００１３】
また、テレスコピックローラコンベヤフレームが長さおよび/または幅は、全体ローラコンベアのサイズの変更を可能にするために設けられている。テレスコピックローラコンベヤフレームは少なくとも１つの凹部又は貫通孔と、少なくとも１つの凹部又は孔を含む内側プロファイルを含む外形を含む少なくとも１つの第テレスコローラコンベアフレーム部を備える。内側プロファイルは、入れ子式外側のすぐ内側に、少なくとも部分的に配置されるようになっている。テレスコピックローラコンベヤフレームは、前記外形と伸縮自在に外輪郭の内側に少なくとも部分的に配置されるように適合され、内側プロファイルを含む少なくとも１つの伸縮自在のローラコンベアフレーム部を備える。第一及び第二のローラコンベアフレーム部は、少なくとも一つのローラ器官を含むローラコンベアによって接続されるようになっている、第１の部分は、第１伸縮自在ローラの内側および外側プロファイルの少なくとも１つの凹部又は貫通孔内に配置されるようになってコンベアフレーム部は、内側および外側プロファイル、および第２の部分をロックするための内側および外側プロファイルをロックするために、伸縮自在のローラコンベアフレーム部の内側および外側プロファイルの少なくとも１つの凹部又は貫通孔内に配置されるようになって第１及び第２のローラコンベアフレーム部が接続され、ロックされているようにする。
【００１４】
テレスコピックローラコンベヤフレームの一実施形態によれば、第１および第２のローラコンベアフレーム部は、さらに第一及び第二接続するための内側及び/又は外側のプロファイルの端部に接続された付加的なフレーム部によって接続されている互いにほぼ平行に追加のフレーム部によって定義される距離でローラコンベアフレーム部。
【００１５】
一実施形態によれば、追加のフレーム部は、第１及び第２フレーム部との間の距離を調整するためのテレスコある。
【００１６】
一実施形態によれば、第一及び第二のローラコンベアフレーム部を連結するように適合ローラコンベヤは、本明細書の実施形態のいずれかに記載の伸縮自在のローラコンベア例えば、望遠鏡のローラコンベアである。テレスコピックローラコンベアのロックは、望遠鏡のローラコンベアとテレスコピックローラコンベヤフレームの両方が、重力によってロックされているような追加のフレーム部のテレスコピック機能をロックすることができる。
【００１７】
本発明は、特許請求項の範囲内で自由に組み合わせることができることに注意してください。
【００１８】
本発明は、同封において図面を参照して実施形態を例示により以下に詳細に説明する。
【図面の簡単な説明】
【００１９】
【図１】図１は、内側のプロファイルとローラコンベアの外形を示しています
【図２】図２は車軸とローラオルガン、
【図３】図３の接続器官に組み付け車軸とローラオルガン、
【図４】図４は、プロファイルに組み立てられたローラオルガンとの接続器官を示しています
【図５】図５に示す伸縮ローラコンベアフレームの実施形態、
【図６】図６は伸縮ローラコンベアフレームの別の実施形態を示す。
【発明を実施するための形態】
【００２０】
以下では、実施形態の説明は、添付の図面を参照しながら説明する。なお、図面は実施形態を説明するためのみであり、保護の範囲を限定するとはみなされないことに留意すべきである。指向性仕様は、図面に指向仕様としてのみ表示されなければならない。
ローラコンベヤの伸縮ローラコンベア異なる長さによって[００２６]は、ローラの器官が組み立てられるように更新、テレスコピック機能を含んでいることによって作成することができます。モジュラーベースの設計は、例えばの再構築ができますラック非常に容易にし、ラックの寸法が変更された場合であっても再利用するローラコンベアを可能にする。
【００２１】
一実施形態によれば、伸縮ローラコンベアは、３つの異なるモジュールが含まれ、内側のプロフィール、外形とローラの臓器との接続器官。
【００２２】
インナープロファイルとローラの臓器との接続器官と組み合わせるアウター更新、伸縮ローラコンベアを作成します。
【００２３】
図１は、プロファイルは、Ｃ-プロファイルの形でされている一つの実施形態によれば、内部プロファイル１０１と外形１０２を示す。内側のプロファイル１０１は外形１０２内で実行し、それによってテレスコピック機能を作成することができます。
代替の実施形態では
【００２４】
内部プロファイル１０１限り、１０１、１０２は任意の他のジオメトリにすることができますプロファイルは限り車軸とローラ臓器窪みがあるので外形１０２で自由に実行することができます。
【００２５】
プロファイル１０１、１０２は、凹部の幅は外形１０２上のように内側のプロファイル１０１に均等幅で少なくとも一つの第１の凹部１０８を含む第一の側１０３を有する。凹部の幅は、プロファイルに組み立てることができるローラ器官の最大幅を決定します。
ローラ臓器例えば含み得る代替的な実施形態では
【００２６】
車輪、ローラやボール。
【００２７】
プロファイルの一側１０３ １０１、１０２は、ローラの臓器１０６が組み立てられるように車軸１０５を受け取るように意図された少なくとも第２の凹部１０４を備えている。他の凹部１０４は、ローラコンベヤでローラの臓器１０６ 'の中心間の距離と同じ距離だけ分離されている。 １０４他の凹部との間の距離はまたプロファイルに組み立てることができるローラ器官１０６の最大直径を決定します。
【００２８】
その車軸１０５でローラオルガン１０６はプロファイル '他の凹部１０４に配置されている場合、プロファイルは長手方向に互いにロックされています。
【００２９】
図２は、車軸１０５と、車輪の形で、ローラオルガン１０６を示しています。
【００３０】
図３は、車軸１０５とホイールの形でローラオルガン１０６を示しています。接続器官１０７に組み付け。車軸１０５でローラオルガン１０６はプロファイルに１０４他の凹部の間と同じ距離で接続する器官１０７に組み付けられる。車軸１０５との接続器官１０７、すべてのローラの臓器１０６に組み付け車軸１０５でローラの臓器１０６を持っていることによって、同時にプロファイルに組み立てたり、分解することができる。連結器官がローラコンベアの長さを調整するためにカットされているが、プロファイルの長さに沿って、いくつかの連結臓器１０７を含むローラ器官１０６と車軸１０５を配置することによって接続する器官を再利用することが常に可能である。
接続器官１０７に組み立てられているローラの臓器などがある
【００３１】
は、彼らは互いに所定距離と共にホイールをリンクする予定の文字列、テープ、ゴムバンドや何かに接続されていることを参照してください。
【００３２】
図４は、内部プロファイル１０１はテレスコピック機能が得られるように外形の内側に１０２を実行するように設計され、ここで、内側のプロファイル１０１と、外形１０２を含む伸縮ローラコンベアによって特徴付け組み立てローラコンベアを示し、前記第一の側１０３の内すぐ１０１および外側プロファイル１０２は、 - 少なくとも部分的にローラ臓器１０６を含むように設計された第１の凹部１０８およびローラ器官に接続された車軸１０５を受信するように設計された凹部１０４秒１０６、前記車軸１０５、プロファイル１０１ 'で互いにすぐ内側１０１および外側プロファイル１０２をロックするように設計されている。１０２長手方向。
【００３３】
一実施形態によれば、伸縮式ローラコンベアは、上述したように、部分的に軸１０５に組み付けホイールを含むように設計された他の凹部１０４を有することができる。
【００３４】
一実施形態によれば、伸縮式ローラコンベア、上述したように、部分的にローラ臓器１０６を含むように意図された幅を有する縦スリット１０８を含む第一の側１０３を有することができる。
【００３５】
一実施形態によれば、伸縮式ローラコンベヤは、少なくとも二つ１０５アクスルは、第１および第２の端部を含み、前記車軸１０５、上述したようにローラ器官１０６に接続され、それぞれの、前記の少なくとも一つを含むことができる第１および第２の端部は、ローラコンベアの長さに少なくとも二つの車軸１０５とローラ１０６器官を組み立てることができるので、すぐ内側１０１及び外側プロファイル１０２の凹部１０４と同じ距離に連結臓器１０７に組み付けられているとプロファイル１０１に分解し、同時に１０２。
【００３６】
さらに、本発明は、上記のような伸縮ローラコンベアを含む材料のラックが含まれています。
【００３７】
図５は伸縮ローラコンベアフレームを示しています。伸縮コンベアフレームには、特定の状況にローラコンベヤのサイズの適応を可能にします。フレームが長さおよび/または幅で調整可能である、上述のように伸縮式ローラコンベア、又は固定長のローラコンベヤを含むことができる。テレスコピックローラコンベア外形２０２を含む少なくとも１つの凹部又は孔２０５ 'を含む第テレスコピックローラコンベヤフレーム部２０１ａを備える。第テレスコピックローラコンベアフレーム部２０１ａは、さらに、位置合わせ孔又は凹部２０５を作成するための凹部又は貫通孔２０５ 'と整合されるようになっている２０５''、少なくとも１つの凹部又は孔を含む内側プロファイル２０３を備える。内側プロファイル２０３は、伸縮自在に外輪郭２０２の内部に少なくとも部分的に配置されるようになっている。テレスコピックローラコンベヤフレームは、さらに、２０１ｂとが対応してそれぞれ第１ローラコンベヤフレーム部分を参照の下に記載したのと同じ方法で、少なくとも１つの凹部又は孔を有する外側と内側プロファイルを含む第二テレスコピックローラコンベヤフレーム部を備える。実施形態では図に示す。図５に示すように、内側プロファイルが外輪郭の係止突起２０６によって外側すぐにロックされているが、他の実施形態では、係止突起は、内側プロファイルの一部であること、または係止突起であることも同様に考えられる省略。
【００３８】
第一及び第二のローラコンベアフレーム部２０１ａと、２０１ｂと、少なくとも一つのローラ臓器２１１を含む２１０ローラコンベアによって接続されるようになっている。ローラコンベア２０３は、内側および外側プロファイル２０２をロックするための第テレスコローラコンベヤフレーム部２０１ａの２０３内側および外側プロファイル２０２の孔２０５内に配置されるように適合２１０第一部分２１０ 'を備える。ローラコンベア２０３は、さらに、内側および外側プロファイル２０２をロックするために、内側の孔２０３及び第テレスコピックローラコンベヤフレーム部２０１ｂの外側のプロファイル２０２に配置されるように適合さ''第二の部分２１０を備える。図に示された実施形態に係る第１及び第２の部分。図５は、主突起部２１２は内側２０３及び外側２０２のプロファイルの主孔内に配置されるように構成され、２つの支持突起２１３は、２０３内側および外側プロファイル２０２に追加の穴２１４内に配置され、さらにロックするための係止部の角を含む備える最初の２１０ '、ローラコンベアの第二２１０''部分プロファイルへ。
【００３９】
はローラコンベア２１０によるローラコンベヤフレーム部品２０１Ａ、２０１Ｂの接続は、最初の２０１Ａおよび第２０１Ｂローラコンベアフレーム部品が接続され、ロックされていることを確認します。
【００４０】
図。 ２２１ｂの端部２０１ａは 'に接続され、インナー２０３および/または２０１ａは'' ６は、第１及び第２のローラコンベアフレーム部は、さらに、追加のフレーム部２２１ａとによって接続される実施形態に係る伸縮式ローラコンベヤフレームを示しているまたは追加フレーム部２２１ａとによって定義される距離で第部２０１ａ及び２０１ｂの第二ローラコンベアフレーム部を連結する外周２０２プロファイル;互いに２２１ｂは、実質的に平行である。図に示す実施形態によれば、 ６、２２１ａは、追加のフレーム部、２２１ｂとは、第部２０１ａ及び２０１ｂの第二フレーム部分との間の距離を調整するための伸縮自在である。同様に、ローラコンベア２１０は、第１部２０１ａ及び２０１ｂの第二フレーム部分の間の距離を調整することができるように伸縮式ローラコンベアである。図に表示されたローラコンベア。 ６は、例えばイチジクへの参照の下で開示ローラコンベアである可能性があります。 １から４まで、テレスコピックローラコンベヤ及びテレスコープローラコンベヤフレームの両方が、重力によってロックすることができるように伸縮式ローラコンベアのロック手段によって達成することがローラコンベアのテレスコピック機能のロックを可能にする。
【００４１】
上述した実施形態の説明は、限定として理解されるべきではないが、自由に特許請求の範囲内で組み合わせることができる。
【図１】
2014503442.tif 000003
【図２】
2014503442.tif 000004
【図３】
2014503442.tif 000005
【図４】
2014503442.tif 000006
【図５】
2014503442.tif 000007
【図６】
2014503442.tif 000008
【国際調査報告】
2014503442.tif 000009
2014503442.tif 000010
2014503442.tif 000011
2014503442.tif 000012
2014503442.tif 000013
2014503442.tif 000014